(57)【要約】【課題】本発明は、コンパクトなサイズに認識される空気調和機の室内機１を提供することを目的とする。【解決手段】空気調和機の室内機１は、筐体１０と、右側面と前面と左側面を有し筐体１０を覆う前面パネル２０と、前面パネル２０に係止され少なくとも前面パネル２０の前面を覆う吸込グリル３０と、前面パネル２０の右側面と前面と左側面にわたる上辺に沿って配置される第１飾り帯部１６と、前面パネルの右側面と前面と左側面にわたる下辺に沿って配置される第２飾り帯部１７とを有する。【選択図】図１
2017161179.tif 000002
【特許請求の範囲】
【請求項１】
筐体と、右側面と前面と左側面を有し前記筐体を覆う前面パネルと、前記前面パネルに係止され少なくとも前記前面パネルの前記前面を覆う吸込グリルと、前記前面パネルの前記右側面と前記前面と前記左側面にわたる上辺に沿って配置される第１飾り帯部と、前記前面パネルの前記右側面と前記前面と前記左側面にわたる下辺に沿って配置される第２飾り帯部とを有することを特徴とする空気調和機の室内機。
【請求項２】
前記前面パネルの前記右側面の上辺に沿って配置されるパネル飾り板右上と、
前記前面パネルの前記右側面の下辺に沿って配置されるパネル飾り板右下と、
前記前面パネルの前記左側面の上辺に沿って配置されるパネル飾り板左上と、
前記前面パネルの前記左側面の下辺に沿って配置されるパネル飾り板左下と、
前記前面パネルの前記前面の上辺に沿って配置され前記パネル飾り板右上と前記パネル飾り板左上を連結するグリル飾り板と、
前記前面パネルの前記前面の下辺に沿って配置され前記パネル飾り板右下と前記パネル飾り板左下を連結するパネル飾り板前を備え、
前記第１飾り帯部は前記パネル飾り板右上と前記グリル飾り板と前記パネル飾り板左上で形成され、
前記第２飾り帯部は前記パネル飾り板右下と前記パネル飾り板前と前記パネル飾り板左下で形成されることを特徴とする請求項１に記載の空気調和機の室内機。
【請求項３】
前記前面パネルの前記右側面は前記吸込グリルとの合わせ目に沿って配置されるパネル飾り板右中を備え、前記パネル飾り板右中は前記パネル飾り板右上と前記パネル飾り板右下を連結してパネル飾り板右を形成し、
前記前面パネルの前記左側面は前記吸込グリルとの合わせ目に沿って配置されるパネル飾り板左中を備え、前記パネル飾り板左中は前記パネル飾り板左上と前記パネル飾り板左下を連結してパネル飾り板左を形成することを特徴とする請求項２に記載の空気調和機の室内機。
【発明の詳細な説明】
【技術分野】
【０００１】
本発明は、空気調和機の室内機等に適用される飾り板の取付構造に関するものである。
【背景技術】
【０００２】
昨今の空気調和機の室内機は、インテリアに調和する意匠とするため、筐体を空調室内の壁に溶け込む白色の前面パネルと前面パネルの前面を吸込桟のないフラットな吸込グリルで覆うものが主流であるが、シンプルな意匠のため同種の製品との差別化が図りにくい。そこで室内機の前面に透明材やメタリック素材を利用した装飾部品を設けることで、室内機に高級感を与え同種の製品との差別化を図るものがある（例えば、特許文献１参照）。
【先行技術文献】
【特許文献】
【０００３】
【特許文献１】特開２０１０−６５９５６号公報
【発明の概要】
【発明が解決しようとする課題】
【０００４】
一方で、室内機にはサイズのコンパクト性が求められる傾向があり、同じサイズでもよりコンパクトに見える外観が必要とされる。特に、白色は膨張色のため白色の室内機は、製品の特徴としてコンパクトなサイズを主張しても実際の大きさよりも大きく認識されがちである。
【０００５】
また、従来の室内機の形状は上下方向の長さが奥行方向の長さよりも長いことで側面の意匠はユーザーの視界に入らないので、重要視されていなかったが、昨今は熱交換器が折れ曲がり、熱交換器の前方にフィルター自動清掃機構などが設けられていることで、上下方向の長さよりも奥行方向の長さが長くなっており、空調室に突出する側面の面積がユーザーの視界に入るようになってきており、側面の意匠も重要となっている。
【０００６】
本発明は、上記問題点に鑑み、筐体が前面パネルと吸込グリルで覆われた空気調和機の室内機において、前面から側面までがコンパクトなサイズに認識される空気調和機を提供することを目的とする。
【課題を解決するための手段】
【０００７】
上述した課題を解決するために本発明は、筐体と、右側面と前面と左側面を有し前記筐体を覆う前面パネルと、前記前面パネルに係止され少なくとも前記前面パネルの前記前面を覆う吸込グリルと、前記前面パネルの前記右側面と前記前面と前記左側面にわたる上辺に沿って配置される第１飾り帯部と、前記前面パネルの前記右側面と前記前面と前記左側面にわたる下辺に沿って配置される第２飾り帯部とを有することを特徴とする。
【０００８】
また、前記前面パネルの前記右側面の上辺に沿って配置されるパネル飾り板右上と、
前記前面パネルの前記右側面の下辺に沿って配置されるパネル飾り板右下と、
前記前面パネルの前記左側面の上辺に沿って配置されるパネル飾り板左上と、
前記前面パネルの前記左側面の下辺に沿って配置されるパネル飾り板左下と、
前記前面パネルの前記前面の上辺に沿って配置され前記パネル飾り板右上と前記パネル飾り板左上を連結するグリル飾り板と、
前記前面パネルの前記前面の下辺に沿って配置され前記パネル飾り板右下と前記パネル飾り板左下を連結するパネル飾り板前を備え、
前記第１飾り帯部は前記パネル飾り板右上と前記グリル飾り板と前記パネル飾り板左上で形成され、
前記第２飾り帯部は前記パネル飾り板右下と前記パネル飾り板前と前記パネル飾り板左下で形成されること含まれる。
【０００９】
さらに、前記前面パネルの前記右側面は前記吸込グリルとの合わせ目に沿って配置されるパネル飾り板右中を備え、前記パネル飾り板右中は前記パネル飾り板右上と前記パネル飾り板右下を連結してパネル飾り板右を形成し、
前記前面パネルの前記左側面は前記吸込グリルとの合わせ目に沿って配置されるパネル飾り板左中を備え、前記パネル飾り板左中は前記パネル飾り板左上と前記パネル飾り板左下を連結してパネル飾り板左を形成することも含まれる。
【発明の効果】
【００１０】
上記のように構成した本発明の空気調和機の室内機は、第１飾り帯部と、第２飾り帯部との高さが筐体の高さと視認されコンパクトなサイズの室内機に認識される。
【図面の簡単な説明】
【００１１】
【図１】本発明の空気調和機の室内機を上方から見た斜視図である。
【図２】本発明の空気調和機の室内機を下方から見た斜視図である。
【図３】（Ａ）は本発明の空気調和機の室内機の内部機構を省略した分解図で、（Ｂ）は（Ａ）の矢視Ｚで示す前面パネルの部分図である。
【図４】前面パネルと吸込グリルの部分拡大図である。
【図５】他の実施例２の空気調和機の室内機の斜視図である。
【図６】他の実施例３の空気調和機の室内機の斜視図である。
【図７】本発明の空気調和機の室内機の上面部分の拡大図である。
【図８】図１のＸ部拡大図である。
【図９】図２のＹ部拡大図である。
【図１０】本発明の吸込グリルを開閉する状態を説明する図である。
【発明を実施するための形態】
【００１２】
以下、本発明を実施するための形態を、添付図面に基づいた実施例として詳細に説明する。
【００１３】
本発明に係わる空気調和機は、屋外に設置される室外機（図示なし）と、空調室内に設置される室内機１とが冷媒配管を介して接続されて冷凍サイクルを構成する。なお、室内機１の内部構造の具体的な構成や仕様については、本発明において任意的事項であり、その説明は省略する。
【００１４】
図１は空気調和機の室内機１を上方から見た斜視図で、図２は空気調和機の室内機１を下方から見た斜視図である。図３の（Ａ）は空気調和機の室内機１の内部機構を省略した分解図で、図３の（Ｂ）は前面パネル２０の左側面を示す図で、図４は部分拡大図である。なお、図１における室内機１に沿わした座標軸において、Ｙ方向を上面または上方、−Ｙ方向を下面または下方、Ｚ方向を前面または前方、−Ｚ方向を背面または後方、Ｘ方向を右側面または右方、−Ｘ方向を左側面または左方として以下説明する。各部品においても同様である。
【００１５】
図１〜図４に示すように室内機１の筐体１０は、背面以外をパネル右側面２０ａ、パネル左側面２０ｂとパネル上面２０ｃとパネル下面２０ｄとパネル前面２０ｅからなる前面パネル２０で覆われている。前面パネル２０は左右方向に長い直方体でありパネル上面２０ｃとパネル前面２０ｅに開口された吸込口２１を備える。パネル上面２０ｃの吸込口２１は波形の桟２２で補強されている。前面パネル２０のパネル前面２０ｅとパネル下面２０ｄの角部には傾斜面２０ｆが設けられ、この傾斜面２０ｆの一部が開口され吹出口２３となる。吹出口２３は運転停止時には風向板１１で閉塞される。この風向板１１は運転時には回動して筐体１０内部から吹き出された気流を空調室内に送風する。前面パネル２０の吹出口２３の右隣りにはＬＥＤの発光で運転状態を知らせる表示部１２と図示しないリモコンからの赤外線を受信する受光部１３を備える。
【００１６】
吸込口２１に合わせ前面パネル２０にはフィルター１４が取り付けられる。また、前面パネル２０のパネル前面２０ｅには開閉可能な吸込グリル３０を備える。吸込グリル３０は、フラットな表面を備え前面パネル２０のパネル前面２０ｅを覆うグリル前面３０ａと、グリル前面３０ａから前面パネル２０の左右側面まで回り込んでパネル右側面２０ａ、パネル左側面２０ｂそれぞれの一部を覆うグリル右側面３０ｂ、グリル左側面３０ｃを有する。パネル右側面２０ａ、パネル左側面２０ｂのそれぞれにはグリル右側面３０ｂ、グリル左側面３０ｃがそれぞれ嵌り込む右側凹部２０ｇ、左側凹部２０ｈが形成されている。本実施例ではグリル右側面３０ｂ、グリル左側面３０ｃの形状は上下方向の中央部分が後方に向かって三角形状に突出している。
【００１７】
前面パネル２０と吸込グリル３０と風向板１１はポリスチレン等の樹脂製であり、同じ白色の色彩を備えている。これにより室内機１の本体色は白色となる。なお図１、図２、図４〜図１０では室内機１の右側面についてのみ図示しているが、左側面も右側面の対称となる形状を備えるものである。
【００１８】
吸込グリル３０はグリル前面３０ａの裏面で左右端の上部にアーム３１とアーム３１の先端から内側に向かって突き出した回転軸３１ａを有する。前面パネル２０はパネル前面２０ｅからパネル上面２０ｃに掛けて左右端にそれぞれ切り欠いて設けたアーム受部２４を有し、アーム３１は回転軸３１ａがアーム受部２４に軸支される。吸込グリル３０の下端を持ち上げるとアーム受部２４に軸支されたアーム３１先端の回転軸３１ａが回転の支点となり、吸込グリル３０の下端を上方に移動することができる。吸込グリル３０を上方に移動するとフィルター１４が外せるようになり、フィルター１４を外して清掃することができる。
【００１９】
なお吸込グリル３０のグリル前面３０ａの裏面下部には図示しないラッチがあり、前面パネル２０にはラッチに対向する位置にラッチ受け２５がある。開いた吸込グリル３０を降ろしてラッチ部分を手で押すとラッチがラッチ受け２５にロックされて吸込グリル３０を前面パネル２０に固定することができる。
【００２０】
前面パネル２０のパネル右側面２０ａは、パネル右側面２０ａとパネル上面２０ｃとが連続する角部である右側上辺２６ａと、パネル右側面２０ａに吸込グリル３０の下端が接する位置から背面側の下方まで続く右側下辺２６ｂと、吸込グリル３０との右側合わせ目２６ｃに沿って右側溝部２６が設けられている。右側溝部２６は樋状であり、樋状の底に当たる位置には後述する係止爪４１に合わせ係止孔（図示なし）が設けられている。
【００２１】
右側溝部２６にはパネル飾り板右４０が取り付けられる。パネル飾り板右４０は、右側上辺２６ａに沿って配置されるパネル飾り板右上４０ａと、右側下辺２６ｂに沿って配置されるパネル飾り板右下４０ｂと、右側合わせ目２６ｃに沿って配置されパネル飾り板右上４０ａとパネル飾り板右下４０ｂの前端を連結する飾り板右中４０ｃで形成される。
【００２２】
パネル飾り板右４０はパネル飾り板右上４０ａとパネル飾り板右下４０ｂと三角形の飾り板右中４０ｃによりＭ字を横に倒した横Ｍ字型をしている。パネル飾り板右４０は前面パネル２０側に複数個の係止爪４１を備え、係止爪４１が右側溝部２６の係止孔に嵌ることで前面パネル２０に取り付けられる。
【００２３】
前面パネル２０のパネル左側面２０ｂは、パネル左側面２０ｂとパネル上面２０ｃとが連続する角部である左側上辺２８ａと、パネル左側面２０ｂに吸込グリル３０の下端が接する位置から背面側の下方まで続く左側下辺２８ｂと、吸込グリル３０との左側合わせ目２８ｃに沿って左側溝部２８が設けられている。左側溝部２８は樋状であり、樋状の底に当たる位置には後述する係止爪５１に合わせ係止孔（図示なし）が設けられている。
【００２４】
左側溝部２８にはパネル飾り板左５０が取り付けられる。パネル飾り板左５０は、左側上辺２８ａに沿って配置されるパネル飾り板左上５０ａと、左側下辺２８ｂに沿って配置されるパネル飾り板左下５０ｂと、左側合わせ目２８ｃに沿って配置されパネル飾り板左上５０ａとパネル飾り板左下５０ｂの前端を連結する飾り板左中５０ｃで形成される。
【００２５】
パネル飾り板左５０は飾り板左上５０ａと飾り板左下５０ｂと三角形の飾り板左中５０ｃによりＭ字を横に倒した横Ｍ字型をしている。パネル飾り板左５０は前面パネル２０側に複数個の係止爪５１を備え、係止爪５１が左側溝部２８の係止孔に嵌ることで前面パネル２０に取り付けられる。
【００２６】
吸込グリル３０の上辺３０ｄには樋状のグリル溝部３３が設けられている。グリル溝部３３には後述する係止爪７１に合わせ係止孔（図示なし）とリブ３３１が設けられている。
【００２７】
グリル溝部３３にはグリル飾り板７０が取り付けられる。グリル飾り板７０は前面パネル２０のパネル前面２０ｅの上辺に沿って配置された直線形状であり、左右端はパネル飾り板右上４０ａとパネル飾り板左上５０ａを連結するようにグリル右側面３０ｂ、グリル左側面３０ｃまで回り込んでいる。グリル飾り板７０は下端に複数の係止爪７１を備える。係止爪７１が係止孔に嵌り、リブ３３１で前後方向を固定されることで吸込グリル３０に取り付けられる。
【００２８】
これにより、パネル飾り板右上４０ａとグリル飾り板７０とパネル飾り板左上５０ａが繋がれた一本の帯（第１飾り帯部１６とする）に視認されるようになっている。
【００２９】
また、前面パネル２０のパネル前面２０ｅの下辺（吸込グリル３０の下端が接する位置）で傾斜面２０ｆの上にも樋状の前側溝部２７が設けられている。前側溝部２７の左右端はパネル右側面２０ａ、パネル左側面２０ｂまで回り込んで、右側溝部２６、左側溝部２８と連結している。前側溝部２７にも後述する係止爪６１に合わせ係止孔（図示なし）が設けられている。
【００３０】
前側溝部２７にはパネル飾り板前６０が取り付けられる。パネル飾り板前６０は前面パネル２０のパネル前面２０ｅの下辺に沿って配置された直線形状であり左右端はパネル右側面２０ａ、パネル左側面２０ｂまで回り込み、パネル飾り板右４０、パネル飾り板左５０と突き合わされる。
【００３１】
パネル飾り板前６０は前面パネル２０側に複数個の係止爪６１を備え、係止爪６１が前側溝部２７の係止孔に嵌ることで前面パネル２０に取り付けられる。なお、係止爪４１、５１、６１、７１および係止孔の具体的な構成や仕様については、本発明において任意的事項であり、その説明は省略する。
【００３２】
これにより、パネル飾り板右下４０ｂとパネル飾り板前６０とパネル飾り板左下５０ｂが繋がれた一本の帯（第２飾り帯部１７とする）に視認されるようになっている。
【００３３】
なお以下の説明において、パネル飾り板右４０とパネル飾り板左５０とパネル飾り板前６０とグリル飾り板７０をまとめて飾り板４とする。飾り板４は不透明の樹脂製であり室内機１の本体色の白色とは異なる成形色（色彩）となっている。また素材において異なる素材を用いても良い。例えばアクリルなどの透明素材を用いてもよいし、メッキ等のメタリック処理やパール塗装をしたものでもよいし、インモールド成型で柄を施してもよい。
【００３４】
室内機１の本体色と異なる色彩や素材を用いることにより、第１飾り帯部１６と第２飾り帯部１７がより目立つように視認される。これにより第１飾り帯部１６と第２飾り帯部１７の上下２本の帯が白色の室内機１の本体表面に存在する。空調室の壁に馴染んだ白色の本体色に対し、壁とは異なる色彩を備えた第１飾り帯部１６と第２飾り帯部１７の上下２本の帯が筐体１０の高さと視認され、実物よりもコンパクトなサイズの室内機１と認識される。また、異なった素材により高級感を室内機１の意匠に与えることができる。
【００３５】
また、パネル飾り板右４０とパネル飾り板左５０が横Ｍ字型であることで、単調な白色の面積の大きい前面パネル２０のパネル右側面２０ａ、パネル左側面２０ｂにアクセントを与え、白色の面積の大きさを感じさせなくさせる。
【００３６】
また、飾り板４をパネル飾り板右４０とパネル飾り板左５０とパネル飾り板前６０とグリル飾り板７０に分けずに一つの飾り板で形成しようとすると、成形のための金型が大型となり金型コストがアップするとともに、細い成形品である飾り板４は成形のソリや変形が発生しやすい。また、パネル前面２０ｅのアーム受け部２４で上辺の飾り板４が分断され第１飾り帯部１６が形成されない。
【００３７】
そこで、飾り板４を４つの部品（パネル飾り板右４０とパネル飾り板左５０とパネル飾り板前６０とグリル飾り板７０）で構成すると、金型が大型とならないことで金型コストが掛らずに部品単価が削減でき、成形のソリや変形の発生も抑えられる。
【００３８】
また、パネル前面２０ｅの上辺の飾り板４をグリル飾り板７０として吸込グリル３０側に設けることで、アーム受け部２４で分断されることがなくなり、吸込グリル３０を開いた時でもパネル飾り板右４０とパネル飾り板左５０とパネル飾り板前６０が前面パネル２０に残ることができる。
【００３９】
なお、飾り板４は図５に示すように、パネル飾り板右４０とパネル飾り板左５０がコ字型であってもよく、パネル飾り板右上４０ａとグリル飾り板７０とパネル飾り板左上５０ａが繋がれた一本の帯に視認され、またパネル飾り板右下４０ｂとパネル飾り板前６０とパネル飾り板左下５０ｂが繋がれた一本の帯に視認されることで、上下２本の帯が筐体１０の高さと視認され、実物よりもコンパクトなサイズの室内機１と認識される効果は同じである。
【００４０】
また、飾り板４は図６に示すように、少なくともパネル飾り板右上４０ａとグリル飾り板７０とパネル飾り板左上５０ａだけの構成でもよい。白色の室内機１の本体の上部に左右側面から前面に掛けて一本の第１飾り帯部１６を設けることで意匠に高級感を与えることができる。
【００４１】
次に図７と図８を合わせて参照して、前述したように前面パネル２０には、パネル右側面２０ａの右側上辺２６ａにパネル飾り板右４０のパネル飾り板右上４０ａと、パネル左側面２０ｂの左側上辺２８ａにパネル飾り板左５０のパネル飾り板左上５０ａが取り付けられる。そして、吸込グリル３０には、吸込グリル３０の上辺３０ｄにグリル飾り板７０が取り付けられる。そして、パネル飾り板右４０のパネル飾り板右上４０ａおよびパネル飾り板左５０のパネル飾り板左上５０ａと、グリル飾り板７０が接する当接部１５には、パネル飾り板右４０およびパネル飾り板左５０に筐体１０の内側に凹んだ段差部４２が設けられる。
【００４２】
なお以下の説明では、パネル飾り板右４０を説明するが、パネル飾り板左５０のパネル飾り板左上５０ａとグリル飾り板７０においても、同様の構成を有するものである。
【００４３】
グリル飾り板７０側には段差部４２で設けられた空間に延出して段差部４２に重なる延出部７２を設ける。これによりパネル飾り板右４０とグリル飾り板７０が重なり合うことで別部品でも連続した帯状に視認される。また延出部７２はグリル飾り板７０の前面側角部７０ａから上端７２ａが徐々に筐体１０の内側に向かって傾斜する傾斜面７２１を設ける。傾斜面７２１を設けたことで、図９に示すように室内機１をユーザーが下方から見上げた場合に、グリル飾り板７０とパネル飾り板右４０の間に段差部４２による段差があっても段差が目立たなくなり連続した一本の帯状の飾り板に視認され、パネル右側面２０ａの意匠性が向上される。
【００４４】
また図１０に示すように、パネル飾り板右４０のパネル飾り板右上４０ａから段差部４２に至る壁面４３ａには吸込グリル３０がアーム３１の回転軸３１ａ（図示なし）を回転中心として開く時に、延出部７２とパネル飾り板右４０の干渉を防止するために吸込グリル３０の軌道に合わせて曲面を設けた干渉防止面４３が形成されていることで、吸込グリル３０の開閉を良好にすることができる。
【００４５】
以上に説明したように、本発明の空気調和機の室内機１は、前面パネル２０のパネル右側面２０ａとパネル前面２０ｅとパネル左側面２０ｂにわたる上辺に沿って配置される第１飾り帯部１６と、前面パネル２０のパネル右側面２０ａとパネル前面２０ｅとパネル左側面２０ｂにわたる下辺に沿って配置される第２飾り帯部１７とを有することで、第１飾り帯部と、第２飾り帯部との高さが筐体１０の高さと視認されコンパクトなサイズの室内機１に認識される。
【００４６】
また、グリル飾り板７０に延出部７２を設け、延出部７２にはグリル飾り板７０の前面側角部７０ａから上端７２ａが徐々に筐体１０の内側に向かって傾斜する傾斜面７２１を設けることで、室内機１をユーザーが下方から見上げた場合に、グリル飾り板７０とパネル飾り板右４０およびパネル飾り板左５０の間に段差部４２による段差があっても段差が目立たなくなり連続した一本の帯状の飾り板に視認され、前面パネル側面の意匠性が向上される。
【００４７】
さらに、パネル飾り板右４０およびパネル飾り板左５０にグリル飾り板７０との干渉を防止するための干渉防止面４３が形成されていることで、吸込グリル３０の開閉を良好にすることができる。
【符号の説明】
【００４８】
１：室内機、１０：筐体、１１：風向板、１５：当接部、１６：第１飾り帯部、１７：第２飾り帯部
２０：前面パネル、２０ａ：パネル右側面、２０ｂ：パネル左側面、２０ｃ：パネル上面、２０ｄ：パネル下面、２０ｅ：パネル前面、２４：アーム受け部、２６：右側溝部、２６ａ：右側上辺、２６ｂ：右側下辺、２６ｃ：右側合わせ目、２７：前側溝部、２８：左側溝部、２８ａ：左側上辺、２８ｂ：左側下辺、２８ｃ：左側合わせ目
３０：吸込グリル、３０ａ：グリル前面、３０ｂ：グリル右側面、３０ｃ：グリル左側面、３１：アーム、３１ａ：回転軸、３３：グリル溝部
４：飾り板、４０：パネル飾り板右、４０ａ：パネル飾り板右上、４０ｂ：パネル飾り板右下、４０ｃ：パネル飾り板右中、４２：段差部、４３：干渉防止面
５０：パネル飾り板左、５０ａ：パネル飾り板左上、５０ｂ：パネル飾り板左下、５０ｃ：パネル飾り板左中、６０：パネル飾り板前
７０：グリル飾り板、７２：延出部、７２１：傾斜面
【図１】
2017161179.tif 000003
【図２】
2017161179.tif 000004
【図３】
2017161179.tif 000005
【図４】
2017161179.tif 000006
【図５】
2017161179.tif 000007
【図６】
2017161179.tif 000008
【図７】
2017161179.tif 000009
【図８】
2017161179.tif 000010
【図９】
2017161179.tif 000011
【図１０】
2017161179.tif 000012